(57)【要約】【課題】高所作業を伴わずに回動角度を調整することが可能なヒンジを提供する。【解決手段】照明器具１の本体１０を照明器具１の取り付け部材２０に回動可能に連結するヒンジ１００に、本体１０を取り付け部材２０に回動可能に支持するシャフト１１０と、本体１０と取り付け部材２０との間に所定の大きさの制動力を発生させることにより本体１０が自重で取り付け部材２０に対して回動することを規制する制動部材１４０と、本体１０がシャフト１１０を中心として取り付け部材２０に対して回動するための回転力を本体１０に付与するレバー１５０と、を具備した。【選択図】図３
2010019318.tif 000002
【特許請求の範囲】
【請求項１】
被支持物を支持部材に回動可能に連結するヒンジであって、
前記被支持物を前記支持部材に回動可能に支持する軸部材と、
前記被支持物と前記支持部材との間に所定の大きさの制動力を発生させることにより前記被支持物が自重で前記支持部材に対して回動することを規制する制動部材と、
前記被支持物が前記軸部材を中心として前記支持部材に対して回動するための回転力を前記被支持物に付与する回転力付与部材と、
を具備するヒンジ。
【請求項２】
前記回転力付与部材は、
前記軸部材の軸線から当該軸線に垂直な方向にオフセットした部分を有する請求項１に記載のヒンジ。
【請求項３】
前記回転力付与部材において前記軸部材の軸線から当該軸線に垂直な方向にオフセットした部分に、前記回転力付与部材に外力を付与するための棒の先端部が係合する係合部が形成される請求項２に記載のヒンジ。
【請求項４】
前記回転力付与部材において前記軸部材の軸線から当該軸線に垂直な方向にオフセットした部分に、溝、孔、または切り欠きが形成される請求項２または請求項３に記載のヒンジ。
【請求項５】
前記制動部材が発生させる制動力の大きさを調整する制動力調整部材を具備する請求項１から請求項４までのいずれか一項に記載のヒンジ。
【請求項６】
前記軸部材は前記被支持物に固定されるとともに前記支持部材に回動可能に支持され、
前記回転力付与部材は前記軸部材または前記被支持物に固定される請求項１から請求項５までのいずれか一項に記載のヒンジ。
【請求項７】
前記軸部材は前記支持部材に固定されるとともに前記被支持物に回動可能に支持され、
前記回転力付与部材は前記被支持物に固定される請求項１から請求項５までのいずれか一項に記載のヒンジ。
【請求項８】
前記制動部材は、
一対の平座金と、
前記一対の平座金により挟まれるばね座金または波形ばね座金と、
を具備し、
前記一対の平座金および前記ばね座金、または前記一対の平座金および波形ばね座金は、
前記軸部材に嵌装される請求項１から請求項７までのいずれか一項に記載のヒンジ。
【発明の詳細な説明】
【技術分野】
【０００１】
本発明は、二つの物品の一方を他方に回動可能に連結するヒンジの技術に関する。
【背景技術】
【０００２】
従来、二つの物品の一方を他方に回動可能に連結するヒンジの技術は公知となっている。
このようなヒンジは、光の照射角度を調節可能な照明器具等に広く適用される。例えば、特許文献１および特許文献２に記載の如くである。
【０００３】
特許文献１に記載のヒンジは一端が壁等に固定されるパイプに照明器具を回動可能に連結するものであり、照明器具に固定される第一のブラケットと、パイプの他端に固定される第二のブラケットと、第一のブラケットおよび第二のブラケットに貫装されるネジと、ネジに螺装されるナットと、を具備する。
特許文献１に記載のヒンジは、作業者がドライバー等の工具でネジを緩めることによりネジを中心として第一のブラケットを第二のブラケットに対して回動することが可能であり、ひいては照明器具による光の照射角度を調整することが可能である。
特許文献１に記載のヒンジは、作業者がドライバー等の工具でネジを締め付けることにより第一のブラケットと第二のブラケットとの間に摩擦力を発生させ、第二のブラケットに対する第一のブラケットの回動を規制する（制動する）ことが可能であり、ひいては照明器具による光の照射角度を所定の角度に保持することが可能である。
【０００４】
特許文献２に記載のヒンジは一端が壁等に固定されるアームに照明器具を回動可能に連結するものであり、照明器具に固定されるブラケットと、アームの他端に固定される中空部と、ブラケットおよび中空部に貫装されるネジと、ネジに螺装される蝶ナットと、を具備する。
特許文献２に記載のヒンジは、作業者が蝶ナットを手で持って緩めることによりネジを中心としてブラケットを中空部に対して回動することが可能であり、ひいては照明器具による光の照射角度を調整することが可能である。
特許文献２に記載のヒンジは、作業者が蝶ナットを手で持って締め付けることによりブラケットと中空部との間に摩擦力を発生させ、中空部に対するブラケットの回動を規制する（制動する）ことが可能であり、ひいては照明器具による光の照射角度を所定の角度に保持することが可能である。
【０００５】
しかし、特許文献１および特許文献２に記載のヒンジは、以下の問題を有する。
すなわち、特許文献１および特許文献２に記載のヒンジが適用される照明器具を作業者の手が直接届かないような高所に配置した場合、照明器具による光の照射角度を調整する作業は作業者が脚立等に登って行う作業、すなわち高所作業となる。このような高所作業においては、作業者は高所かつ不安定な姿勢での作業を強いられる場合がある。
また、高所作業中に作業者がヒンジを構成するネジを締め付ける工具等を誤って落下させるといった事態も起こり得る。
【特許文献１】特許第４００９５０４号公報
【特許文献２】特開平７−２７２５２５号公報
【発明の開示】
【発明が解決しようとする課題】
【０００６】
本発明は以上の如き状況に鑑みてなされたものであり、高所作業を伴わずに回動角度を調整することが可能なヒンジを提供する。
【課題を解決するための手段】
【０００７】
本発明の解決しようとする課題は以上の如くであり、次にこの課題を解決するための手段を説明する。
【０００８】
即ち、請求項１においては、
被支持物を支持部材に回動可能に連結するヒンジであって、
前記被支持物を前記支持部材に回動可能に支持する軸部材と、
前記被支持物と前記支持部材との間に所定の大きさの制動力を発生させることにより前記被支持物が自重で前記支持部材に対して回動することを規制する制動部材と、
前記被支持物が前記軸部材を中心として前記支持部材に対して回動するための回転力を前記被支持物に付与する回転力付与部材と、
を具備するものである。
【０００９】
請求項２においては、
前記回転力付与部材は、
前記軸部材の軸線から当該軸線に垂直な方向にオフセットした部分を有するものである。
【００１０】
請求項３においては、
前記回転力付与部材において前記軸部材の軸線から当該軸線に垂直な方向にオフセットした部分に、前記回転力付与部材に外力を付与するための棒の先端部が係合する係合部が形成されるものである。
【００１１】
請求項４においては、
前記回転力付与部材において前記軸部材の軸線から当該軸線に垂直な方向にオフセットした部分に、溝、孔、または切り欠きが形成されるものである。
【００１２】
請求項５においては、
前記制動部材が発生させる制動力の大きさを調整する制動力調整部材を具備するものである。
【００１３】
請求項６においては、
前記軸部材は前記被支持物に固定されるとともに前記支持部材に回動可能に支持され、
前記回転力付与部材は前記軸部材または前記被支持物に固定されるものである。
【００１４】
請求項７においては、
前記軸部材は前記支持部材に固定されるとともに前記被支持物に回動可能に支持され、
前記回転力付与部材は前記被支持物に固定されるものである。
【００１５】
請求項８においては、
前記制動部材は、
一対の平座金と、
前記一対の平座金により挟まれるばね座金または波形ばね座金と、
を具備し、
前記一対の平座金および前記ばね座金、または前記一対の平座金および波形ばね座金は、
前記軸部材に嵌装されるものである。
【発明の効果】
【００１６】
本発明は、高所作業を伴わずに回動角度を調整することが可能である、という効果を奏する。
【発明を実施するための最良の形態】
【００１７】
以下では、図１から図５を用いて本発明に係るヒンジの第一実施形態であるヒンジ１００・１００が適用される照明器具１について説明する。
照明器具１はいわゆる天井埋込式の照明器具であり、建物の天井等に形成された孔に嵌装されることにより当該天井等に固定され、建物の室内等を照らすものである。
【００１８】
なお、以下では便宜上、照明器具１を天井等に固定したときの姿勢を基準として重力が作用する方向を「下方」と定義するとともに重力が作用する方向の逆方向を「上方」と定義することにより「上下方向」を定義し、上下方向に対して垂直な方向として「前後方向」を定義し、上下方向および前後方向に対して垂直な方向として「左右方向」を定義し、これら定義された方向を用いて説明を行う。
【００１９】
図１および図２に示す如く、照明器具１は主として本体１０、取り付け部材２０、ヒンジ１００・１００を具備する。
【００２０】
本体１０は本発明に係る被支持物の実施の一形態である。
ここで「被支持物」は、ヒンジにより連結される二つの物品のうち、回動させたい方の物品（角度調整の対象となる物品）を指す。
図２に示す如く、本体１０は照明器具１の主たる構造体を成し、反射傘１１、電球１２、ソケット１３および配線１４を具備する。
【００２１】
反射傘１１は下面に開口部が形成されるとともに内周面に鏡面処理が施された略円筒形状の部材である。反射傘１１の下部の左右側面にはそれぞれ係合孔１１ａ・１１ａが形成される。
【００２２】
電球１２はタングステンワイヤ等からなるフィラメントを内部に配置したガラス球に不活性ガスを封入したものであり、当該フィラメントに通電することにより発光する。
電球１２は反射傘１１の内部に収容される。電球１２が発する光のうち、反射傘１１の内周面に照射されたものは反射傘１１の内周面で反射され、最終的には反射傘１１の下面に形成された開口部に導かれる。このようにして、反射傘１１の開口部から照射される光の量（光量）を大きくすることが可能である。
【００２３】
ソケット１３は電球１２を反射傘１１の内部の所定の位置に支持するとともに電球１２に電力を供給する経路となるものである。ソケット１３は反射傘１１の内部かつ上部となる位置に固定される。電球１２はソケット１３に螺装される。
【００２４】
配線１４は電球１２に電力を供給するための経路を成すものである。配線１４の一端はソケット１３に接続され、配線１４の他端は図示せぬ電源に接続される。
【００２５】
本発明に係る被支持物は本実施例の本体１０の如く照明器具に関連する物品に限定されるものではない。
本発明に係る被支持物の他の実施形態としては、スピーカー、プロジェクター、ディスプレイ装置（液晶ディスプレイ、プラズマディスプレイ等）、鏡等が挙げられる。
【００２６】
取り付け部材２０は本発明に係る支持部材の実施の一形態である。
ここで「支持部材」はヒンジにより連結される二つの物品のうち、他の構造体等に固定される方の物品（角度調整の基準となる物品）を指す。
本実施形態の取り付け部材２０は下面が開口した略直方体形状の箱状の部材であり、樹脂材料を一体成形することにより製造される。
【００２７】
図１および図２に示す如く、取り付け部材２０は上面部２１、前面部２２、後面部２３、左面部２４、右面部２５および鍔部２６を具備する。
【００２８】
上面部２１、前面部２２、後面部２３、左面部２４および右面部２５はそれぞれ取り付け部材２０の上面、前面、後面、左面および右面を成す板状の部分である。
図２に示す如く、上面部２１には貫通孔２１ａが形成され、貫通孔２１ａを通じて配線１４が取り付け部材２０の外部に引き出される。
左面部２４の下端部かつ前後略中央部には貫通孔２４ａおよびネジ孔２４ｂ・２４ｃが形成される。ネジ孔２４ｂ・２４ｃの内周面には雌ネジが形成される。
右面部２５の下端部かつ前後略中央部には貫通孔２５ａおよびネジ孔２５ｂ・２５ｃが形成される。ネジ孔２５ｂ・２５ｃの内周面には雌ネジが形成される。
【００２９】
鍔部２６は前面部２２、後面部２３、左面部２４および右面部２５の下端部に沿って設けられる。
照明器具１が建物の天井等に固定されるとき、取り付け部材２０の上面部２１、前面部２２、後面部２３、左面部２４および右面部２５が当該天井等の孔に下から上に向かって嵌装され、鍔部２６が当該天井等の孔の周縁部に係合する。
【００３０】
本発明に係る支持部材は本実施例の取り付け部材２０に限定されるものではない。
すなわち、本発明に係る支持部材の形状は箱状に限定されず、例えば複数のフレーム（骨格）が組み合わされた形状でも良い。
また、本発明に係る支持部材を構成する材料は樹脂材料に限定されず、例えば金属材料、木材、セラミックス等でも良い。
また、本発明に係る支持部材は一体成形されたものに限定されず、例えば複数の部品をネジ等で締結することにより組み立てたものでも良い。
【００３１】
ヒンジ１００・１００は本発明に係るヒンジの実施の一形態であり、本体１０を取り付け部材２０に回動可能に連結するものである。
本実施形態の照明器具１は二つのヒンジ１００・１００を具備し、そのうちの一方のヒンジ１００が本体１０の左側面と取り付け部材２０の左面部２４とを回動可能に連結し、他方のヒンジ１００が本体１０の右側面と取り付け部材２０の右面部２５とを回動可能に連結する。
【００３２】
なお、本実施形態では二つのヒンジ１００・１００は左右対称であり、両者の基本的な構成が略同じであることから、以下では本体１０の右側面と取り付け部材２０の右面部２５とを回動可能に連結するヒンジ１００（右側のヒンジ１００）について説明し、本体１０の左側面と取り付け部材２０の左面部２４とを回動可能に連結するヒンジ１００（左側のヒンジ１００）については適宜説明を省略する。
【００３３】
図３に示す如く、右側のヒンジ１００は主としてシャフト１１０、プレート１２０、ネジ１２６・１２７、ワッシャ１３１・１３２、制動部材１４０、レバー１５０、ナット１６０およびブッシュ１７０を具備する。
【００３４】
シャフト１１０は本発明に係る軸部材の実施の一形態であり、本体１０を取り付け部材２０に回動可能に支持するものである。
シャフト１１０は主として胴体部１１１および頭部１１２を具備する。
【００３５】
胴体部１１１はシャフト１１０の胴体を成す棒状の部分であり、図４に示す如く、シャフト１１０の軸線方向（本実施形態では、左右方向）から見た胴体部１１１の断面形状は「対向する一対の円弧と対向する一対の直線を連結した形状（円形に一対の切り欠きを形成した形状）」を成す。
胴体部１１１の外周面のうち当該対向する一対の円弧に対応する部分には雄ネジが形成される。
【００３６】
頭部１１２は胴体部１１１の一端に形成される部分であり、シャフト１１０の軸線方向に垂直な方向において胴体部１１１よりも大きい外径を有する。
【００３７】
プレート１２０は略長方形の板状の部材であり、いずれも円形の孔である貫通孔１２１・１２２・１２３が形成される。
ネジ１２６・１２７はプレート１２０を右面部２５に固定するものである。
【００３８】
図３に示す如く、プレート１２０の貫通孔１２２・１２３にはそれぞれネジ１２６・１２７が貫装され、ネジ１２６・１２７はそれぞれ取り付け部材２０の右面部２５に形成されたネジ孔２５ｂ・２５ｃに螺装される（左側のヒンジ１００の場合、ネジ１２６・１２７はそれぞれ取り付け部材２０の左面部２４に形成されたネジ孔２４ｂ・２４ｃに螺装される）。
このようにして、プレート１２０は取り付け部材２０に固定される。
なお、プレート１２０が取り付け部材２０に固定された状態では、プレート１２０に形成された貫通孔１２１および取り付け部材２０の右面部２５に形成された貫通孔２５ａは左右方向から見て重なる。
【００３９】
シャフト１１０は円形の貫通孔１２１および円形の貫通孔２５ａに貫装される。
このようにして、シャフト１１０はプレート１２０に回動可能に軸支される（より厳密には、プレート１２０を介して取り付け部材２０に回動可能に軸支される）こととなる。
なお、シャフト１１０の頭部１１２の外径は貫通孔１２１の外径よりも大きいので、シャフト１１０が軸線方向のうち内向き（左方向）に移動することによりプレート１２０から脱落することはない。
【００４０】
ワッシャ１３１・１３２は薄い略円盤形状の部材であり、その中央部には円形の孔が形成される。
ワッシャ１３１はシャフト１１０に嵌装され、シャフト１１０の頭部１１２およびプレート１２０により挟まれる位置に配置される。
ワッシャ１３２はシャフト１１０に嵌装され、プレート１２０を挟んでワッシャ１３１の反対側となる位置に配置される。
【００４１】
制動部材１４０は本発明に係る制動部材の実施の一形態であり、本体１０と取り付け部材２０との間に所定の大きさの制動力を発生させることにより本体１０が自重で取り付け部材２０に対して回動することを規制するものである。
図３に示す如く、本実施形態の制動部材１４０は一対のワッシャ１４１・１４２および皿バネ１４３を具備する。
【００４２】
一対のワッシャ１４１・１４２は本発明に係る一対の平座金の実施の一形態である。一対のワッシャ１４１・１４２はいずれも薄い略円盤形状の部材であり、それらの中央部には円形の孔が形成される。
皿バネ１４３は本発明に係るばね座金の実施の一形態である。皿バネ１４３は薄い円盤形状の部材であり、その中央部には円形の孔が形成される。また、皿バネ１４３は側面視でその周縁部から中央部に向かって盛り上がった形状を成す。
なお、本実施形態では制動部材１４０を構成する部材のうち弾性変形する部材としてばね座金（皿バネ１４３）を用いたが、本発明はこれに限定されない。例えば、本発明に係る制動部材を構成する部材のうち弾性変形する部材として波形ばね座金（ウェーブワッシャ）を用いても良い。
【００４３】
制動部材１４０を構成する一対のワッシャ１４１・１４２および皿バネ１４３は、一対のワッシャ１４１・１４２により皿バネ１４３が挟まれた姿勢でシャフト１１０に嵌装され、ワッシャ１４１がワッシャ１３２に当接する。
【００４４】
レバー１５０は本発明に係る回転力付与部材の実施の一形態であり、本体１０がシャフト１１０を中心として取り付け部材２０に対して回動するための回転力を付与するものである。本実施形態のレバー１５０は細長い板状の金属板を一端において直角に屈曲することにより製造される。
図３に示す如く、レバー１５０は胴体部１５１および係合部１５２を具備する。
【００４５】
胴体部１５１は細長い板状の部材であり、その一端には係合孔１５１ａが形成される。
係合孔１５１ａにはシャフト１１０の胴体部１１１が貫装される。
図４の（ａ）に示す如く、係合孔１５１ａの形状は胴体部１１１の断面形状と略同じであるため、レバー１５０（の胴体部１５１）はシャフト１１０（の胴体部１１１）に対して相対回転不能である。
図３に示す如く、胴体部１５１のうち、係合孔１５１ａの近傍を除く部分は「シャフト１１０の軸線から当該軸線に垂直な方向にオフセットした部分」となる。
「軸部材の軸線」は、通常は軸部材の長手方向を指し、被支持物が支持部材に対して回動するときの回動中心となる線である。
「軸部材の軸線から当該軸線に垂直な方向にオフセットする」とは、「軸部材の軸線から所定の距離だけ軸部材の軸線に垂直な方向にずれた位置に配置する」を指す。
【００４６】
係合部１５２は本発明に係る係合部の実施の一形態である。
本実施形態の係合部１５２はレバー１５０を構成する金属板の他端において胴体部１５１に対して略直角に屈曲した部分である。
【００４７】
ナット１６０は本発明に係る制動力調整部材の実施の一形態であり、制動部材１４０が発生させる制動力の大きさを調整するものである。
図３に示す如く、本実施形態のナット１６０はシャフト１１０に螺装される。ナット１６０を締め付けていくと、ナット１６０はレバー１５０の胴体部１５１に当接し、レバー１５０の胴体部１５１は制動部材１４０（ワッシャ１４２）に当接し、制動部材１４０をプレート１２０（右面部２５）に向かって押しつける。
その結果、一対のワッシャ１４１・１４２により挟まれた皿バネ１４３が弾性変形し、シャフト１１０の頭部１１２とワッシャ１３１との当接部分、およびワッシャ１３１とプレート１２０との当接部分には皿バネ１４３による付勢力（弾性変形した形状から元の形状に戻ろうとする力）に応じた摩擦力が発生し、プレート１２０、ひいては取り付け部材２０に対するシャフト１１０の回動が抑制される（シャフト１１０が制動される）。上記摩擦力は、本体１０と取り付け部材２０との間に実際に摩擦力が発生した場合と同様の効果を奏することとなる。
【００４８】
このように、ナット１６０の締め付け量を調整することにより、皿バネ１４３による付勢力、ひいては制動部材１４０が発生させる制動力（シャフト１１０が取り付け部材２０に対して回動することを抑制する力）を調整することが可能である。
本実施形態では、シャフト１１０の制動力が所定の大きさ、すなわち「本体１０が自重（本体１０の重量）で取り付け部材２０に対して回動しない（回動することを規制する）」程度の大きさとなるように調整される。
【００４９】
ブッシュ１７０はシャフト１１０を本体１０に固定する部材であり、胴体部１７１および鍔部１７２を具備する。
【００５０】
胴体部１７１はブッシュ１７０の胴体を成す部材である。胴体部１７１には係合孔１７１ａが形成され、シャフト１１０の胴体部１１１が貫装される。
図４の（ｂ）に示す如く、シャフト１１０の軸線方向（本実施形態では、左右方向）から見た胴体部１１１の断面形状と係合孔１７１ａの断面形状とは略同じである。そのため、シャフト１１０に貫装されたブッシュ１７０はシャフト１１０に対して回動不能に固定されることとなる。
胴体部１７１は本体１０の反射傘１１の右側面に形成された係合孔１１ａに貫装される。
図４の（ｂ）に示す如く、胴体部１７１の外周部の断面形状は「対向する一対の円弧と対向する一対の直線を連結した形状（円形に一対の切り欠きを形成した形状）」であり、胴体部１７１の外周部の断面形状と係合孔１１ａの断面形状とは略同じである。そのため、係合孔１１ａに貫装されたブッシュ１７０は本体１０に対して回動不能に固定されることとなる。
このように、シャフト１１０はブッシュ１７０を介して本体１０に固定される。
【００５１】
鍔部１７２は胴体部１７１の一端に沿って形成され、胴体部１７１に貫装されたシャフト１１０の軸線方向に垂直な方向において胴体部１７１よりも大きい外径を有する。
【００５２】
以下では、取り付け部材２０に対する本体１０の回動角度を調整する方法について説明する。
まず、照明器具１が作業者の手が届かない高所に固定されている場合に、作業者が所定の長さを有する棒を手に持ち、当該棒の先端部をレバー１５０の係合部１５２に係合し、レバー１５０に外力を付与する。
作業者が持つ棒によりレバー１５０に外力が付与されると、レバー１５０にはシャフト１１０を中心として回転しようとする力、すなわち回転力（モーメント）が作用する。
【００５３】
図３および図４に示す如く、レバー１５０はシャフト１１０に回動不能に固定され、シャフト１１０は本体１０に回動不能に固定されていることから、レバー１５０に作用した回転力はシャフト１１０を通じて本体１０に伝達（付与）される。
その結果、シャフト１１０の頭部１１２とワッシャ１３１との当接部分、およびワッシャ１３１とプレート１２０との当接部分で発生した摩擦力（本体１０と取り付け部材２０との間に発生する制動力）に抗して、レバー１５０、シャフト１１０および本体１０は一体となってシャフト１１０を中心として回動し、取り付け部材２０に対する本体１０の回動角度、ひいては本体１０による光の照射角度が調整される。
【００５４】
作業者が棒をレバー１５０の係合部１５２から引き離すと、レバー１５０には外力が付与されなくなる。
その結果、シャフト１１０の頭部１１２とワッシャ１３１との当接部分、およびワッシャ１３１とプレート１２０との当接部分で発生した摩擦力（本体１０と取り付け部材２０との間に発生する制動力）により、取り付け部材２０に対する本体１０の回動が規制され、取り付け部材２０に対する本体１０の回動角度、ひいては本体１０による光の照射角度が保持される。
【００５５】
作業者が本体１０による光の照射角度を調整するために用いる棒は専用品でも良いが、例えば照明器具１の電球１２を交換するための棒（先端部に電球１２を把持する機構を有する棒）、あるいは箒の柄等でも良い。
【００５６】
以上の如く、ヒンジ１００は、
照明器具１の本体１０を照明器具１の取り付け部材２０に回動可能に連結するヒンジであって、
本体１０を取り付け部材２０に回動可能に支持するシャフト１１０と、
本体１０と取り付け部材２０との間に所定の大きさの制動力を発生させることにより本体１０が自重で取り付け部材２０に対して回動することを規制する制動部材１４０と、
本体１０がシャフト１１０を中心として取り付け部材２０に対して回動するための回転力を本体１０に付与するレバー１５０と、
を具備する。
このように構成することにより、照明器具１が作業者の手が届かないような高所に固定されている場合であっても、棒を使ってレバー１５０に外力を付与することにより、高所作業を伴わずに取り付け部材２０に対する本体１０の回動角度、ひいては本体１０による光の照射角度を調整することが可能である。
特に、本体１０に直接手を触れたり、あるいは棒で本体１０を突いたりすることにより取り付け部材２０に対する本体１０の回動角度を調整することができない場合（例えば、本体１０が壊れやすい構造を有する場合等）でも、レバー１５０に外力を付与すれば取り付け部材２０に対する本体１０の回動角度を調整することが可能であるという利点を有する。
【００５７】
なお、本実施形態では、細長い板状の部材であるレバー１５０を回転力付与部材として用いたが、本発明はこれに限定されるものではない。
すなわち、本発明に係る回転力付与部材は、軸部材（本実施形態では、シャフト１１０）の軸線から当該軸線に垂直な方向にオフセットした部分を有する形状を有していれば良い。
軸部材の軸線から当該軸線に垂直な方向にオフセットした部分に棒を当接させて外力を付与することにより、当該外力は回転力として被支持物（本実施形態では、本体１０）に付与されることとなり、ひいては回動角度（支持部材に対する被支持物の回動角度）を調整することが可能である。
【００５８】
また、ヒンジ１００は、
レバー１５０においてシャフト１１０の軸線から当該軸線に垂直な方向にオフセットした部分に、レバー１５０に外力を付与するための棒の先端部が係合する係合部１５２が形成される。
このように構成することにより、作業者は棒の先端部をレバー１５０に容易に係合することが可能であり、回動角度（支持部材に対する被支持物の回動角度）の調整が容易となる。
【００５９】
本実施形態ではレバー１５０の先端部を屈曲して係合部１５２を形成したが、本発明はこれに限定されるものではない。
例えば、図５の（ａ）に示す如くレバー１５０の先端部に溝１５３・１５３を形成したり、図５の（ｂ）に示す如くレバー１５０の先端部に孔１５４を形成したり、図５の（ｃ）に示す如くレバー１５０の先端部に切り欠き１５５・１５５を形成したりしても、回動角度（取り付け部材２０に対する本体１０の回動角度）の調整が容易となる。
また、溝１５３・１５３、孔１５４あるいは切り欠き１５５・１５５に係合し易いように、作業者が使用する棒の先端部にフックあるいはリング状の紐等を設けても良い。
【００６０】
また、ヒンジ１００は、
制動部材１４０が発生させる制動力の大きさを調整するナット１６０を具備する。
このように構成することにより、制動部材１４０が発生させる制動力の大きさを本体１０が自重（本体１０の重量）で取り付け部材２０に対して回動することを規制する程度の大きさに容易に調整することが可能である。
【００６１】
また、ヒンジ１００のシャフト１１０は本体１０に（回動不能に）固定されるとともに取り付け部材２０に回動可能に支持され、
ヒンジ１００のレバー１５０はシャフト１１０に（回動不能に）固定される。
このように構成することにより、レバー１５０に作用した回転力はシャフト１１０を通じて本体１０に付与されるので、取り付け部材２０に対する本体１０の回動角度、ひいては本体１０による光の照射角度を調整することが可能である。
【００６２】
本実施形態ではシャフト１１０の胴体部１１１の断面形状およびレバー１５０に形成される係合孔１５１ａの形状を「対向する一対の円弧と対向する一対の直線を連結した形状」とすることによりレバー１５０をシャフト１１０に（回動不能に）固定したが、本発明はこれに限定されない。
例えば、回転力付与部材を軸部材に溶接したり、接着したり、あるいはネジ止めしたりすることにより、回転力付与部材を軸部材に固定しても良い。
【００６３】
また、ヒンジ１００の制動部材１４０は、
一対のワッシャ１４１・１４２と、
一対のワッシャ１４１・１４２により挟まれる皿バネ１４３と、
を具備し、
一対のワッシャ１４１・１４２および皿バネ１４３は、
シャフト１１０に嵌装される。
このように構成することにより、本体１０と取り付け部材２０との間のスペースが小さい場合であっても当該スペースに制動部材１４０を配置することが可能である。
【００６４】
以下では、図６を用いて本発明に係るヒンジの第二実施形態であるヒンジ２００について説明する。
なお、以下では便宜上、ヒンジ２００が図１から図５に示す本体１０を取り付け部材２０に回動可能に連結する場合について説明する。
【００６５】
図６に示す如く、ヒンジ２００は主としてシャフト２１０、プレート２２０、ネジ２２６・２２７、ワッシャ２３１・２３２、制動部材２４０、レバー２５０、ナット２６０およびブッシュ２７０を具備する。
【００６６】
シャフト２１０は本発明に係る軸部材の実施の一形態であり、本体１０を取り付け部材２０に回動可能に支持するものである。
シャフト２１０は主として胴体部２１１および頭部２１２を具備する。
シャフト２１０の構成は図３に示すシャフト１１０の構成と略同じであることから説明を省略する。
【００６７】
プレート２２０は略長方形の板状の部材であり、いずれも円形の孔である貫通孔２２１・２２２・２２３が形成される。
ネジ２２６・２２７はプレート２２０を右面部２５に固定するものである。
プレート２２０およびネジ２２６・２２７の構成は図３に示すプレート１２０およびネジ１２６・１２７の構成と略同じであることから説明を省略する。
【００６８】
ワッシャ２３１・２３２は薄い略円盤形状の部材であり、その中央部には円形の孔が形成される。
ワッシャ２３１・２３２の構成は図３に示すワッシャ１３１・１３２の構成と略同じであることから説明を省略する。
【００６９】
制動部材２４０は本発明に係る制動部材の実施の一形態であり、本体１０と取り付け部材２０との間に所定の大きさの制動力を発生させることにより本体１０が自重で取り付け部材２０に対して回動することを規制するものである。
図６に示す如く、本実施形態の制動部材２４０は一対のワッシャ２４１・２４２および皿バネ２４３を具備する。
制動部材２４０の構成は図３に示す制動部材１４０の構成と略同じであることから説明を省略する。
【００７０】
レバー２５０は本発明に係る回転力付与部材の実施の一形態であり、本体１０がシャフト２１０を中心として取り付け部材２０に対して回動するための回転力を付与するものである。本実施形態のレバー２５０は細長い板状の金属板を一端において直角に屈曲することにより製造される。
図６に示す如く、レバー２５０は胴体部２５１および係合部２５２を具備する。
【００７１】
胴体部２５１は細長い板状の部材であり、その一端は反射傘１１に溶接され、ひいては本体１０に固定される。
【００７２】
係合部２５２は本発明に係る係合部の実施の一形態である。
本実施形態の係合部２５２はレバー２５０を構成する金属板の他端において胴体部２５１に対して略直角に屈曲した部分である。
【００７３】
ナット２６０は本発明に係る制動力調整部材の実施の一形態であり、制動部材２４０が発生させる制動力の大きさを調整するものである。
図６に示す如く、本実施形態のナット２６０はシャフト２１０に螺装される。ナット２６０を締め付けていくと、ナット２６０は制動部材２４０（ワッシャ２４２）に当接し、制動部材２４０をプレート２２０（右面部２５）に向かって押しつける。
その結果、一対のワッシャ２４１・２４２により挟まれた皿バネ２４３が弾性変形し、シャフト２１０の頭部２１２とワッシャ２３１との当接部分、およびワッシャ２３１とプレート２２０との当接部分には皿バネ２４３による付勢力に応じた摩擦力が発生し、プレート２２０、ひいては取り付け部材２０に対するシャフト２１０の回動が抑制される（シャフト２１０が制動される）。上記摩擦力は、本体１０と取り付け部材２０との間に実際に摩擦力が発生した場合と同様の効果を奏することとなる。
【００７４】
このように、ナット２６０の締め付け量を調整することにより、皿バネ２４３による付勢力、ひいては制動部材２４０が発生させる制動力（シャフト２１０が取り付け部材２０に対して回動することを抑制する力）を調整することが可能である。
本実施形態では、シャフト２１０の制動力が所定の大きさ、すなわち「本体１０が自重（本体１０の重量）で取り付け部材２０に対して回動しない（回動することを規制する）」程度の大きさとなるように調整される。
【００７５】
ブッシュ２７０はシャフト２１０を本体１０に固定する部材であり、胴体部２７１および鍔部２７２を具備する。胴体部２７１には係合孔２７１ａが形成され、シャフト２１０の胴体部２１１が貫装される。
ブッシュ２７０の構成は図３に示すブッシュ１７０の構成と略同じであることから説明を省略する。
【００７６】
以上の如く、ヒンジ２００は、
照明器具１の本体１０を照明器具１の取り付け部材２０に回動可能に連結するヒンジであって、
本体１０を取り付け部材２０に回動可能に支持するシャフト２１０と、
本体１０と取り付け部材２０との間に所定の大きさの制動力を発生させることにより本体１０が自重で取り付け部材２０に対して回動することを規制する制動部材２４０と、
本体１０がシャフト２１０を中心として取り付け部材２０に対して回動するための回転力を本体１０に付与するレバー２５０と、
を具備し、
シャフト２１０は本体１０に（回動不能に）固定されるとともに取り付け部材２０に回動可能に支持され、
レバー２５０は本体１０に（回動不能に）固定される。
このように構成することにより、レバー２５０に作用した回転力は本体１０に付与され、本体１０はシャフト２１０を中心として取り付け部材２０に対して回動する。
従って、取り付け部材２０に対する本体１０の回動角度、ひいては本体１０による光の照射角度を調整することが可能である。
【００７７】
以下では、図７を用いて本発明に係るヒンジの第三実施形態であるヒンジ３００について説明する。
なお、以下では便宜上、ヒンジ３００が図１から図５に示す本体１０を取り付け部材２０に回動可能に連結する場合について説明する。
【００７８】
図７に示す如く、ヒンジ３００は主としてシャフト３１０、プレート３２０、ネジ３２６・３２７、ワッシャ３３１・３３２、制動部材３４０、レバー３５０、ナット３６０およびブッシュ３７０を具備する。
【００７９】
シャフト３１０は本発明に係る軸部材の実施の一形態であり、本体１０を取り付け部材２０に回動可能に支持するものである。
シャフト３１０は主として胴体部３１１および頭部３１２を具備する。
【００８０】
胴体部３１１はシャフト３１０の胴体を成す棒状の部分であり、シャフト３１０の軸線方向から見た胴体部３１１の断面形状は「対向する一対の円弧と対向する一対の直線を連結した形状（円形に一対の切り欠きを形成した形状）」を成す。
胴体部３１１の外周面のうち当該対向する一対の円弧に対応する部分には雄ネジが形成される。
【００８１】
頭部３１２は胴体部３１１の一端に形成される部分であり、シャフト３１０の軸線方向に垂直な方向において胴体部３１１よりも大きい外径を有する。
【００８２】
プレート３２０は略長方形の板状の部材であり、いずれも円形の孔である貫通孔３２１・３２２・３２３が形成される。
ネジ３２６・３２７はプレート３２０を反射傘１１、ひいては本体１０に固定するものである。
【００８３】
図７に示す如く、プレート３２０の貫通孔３２２・３２３にはそれぞれネジ３２６・３２７が貫装され、ネジ３２６・３２７はそれぞれ本体１０の反射傘１１に形成されたネジ孔１１ｃ・１１ｄに螺装される。
このようにして、プレート３２０は本体１０に固定される。
なお、プレート３２０が本体１０の反射傘１１に固定された状態では、プレート３２０に形成された貫通孔３２１および本体１０の反射傘１１に形成された貫通孔１１ｂは左右方向から見て重なる。
【００８４】
シャフト３１０は円形の貫通孔３２１および円形の貫通孔１１ｂに貫装される。
このようにして、シャフト３１０はプレート３２０に回動可能に軸支される（より厳密には、プレート３２０を介して本体１０に回動可能に軸支される）こととなる。
なお、シャフト３１０の頭部３１２の外径は貫通孔３２１の外径よりも大きいので、シャフト３１０が軸線方向のうち外向き（右方向）に移動することによりプレート３２０から脱落することはない。
【００８５】
ワッシャ３３１・３３２は薄い略円盤形状の部材であり、その中央部には円形の孔が形成される。
ワッシャ３３１はシャフト３１０に嵌装され、シャフト３１０の頭部３１２およびプレート３２０により挟まれる位置に配置される。
ワッシャ３３２はシャフト３１０に嵌装され、プレート３２０を挟んでワッシャ３３１の反対側となる位置に配置される。
【００８６】
制動部材３４０は本発明に係る制動部材の実施の一形態であり、本体１０と取り付け部材２０との間に所定の大きさの制動力を発生させることにより本体１０が自重で取り付け部材２０に対して回動することを規制するものである。
図７に示す如く、本実施形態の制動部材３４０は一対のワッシャ３４１・３４２および皿バネ３４３を具備する。
【００８７】
一対のワッシャ３４１・３４２は本発明に係る一対の平座金の実施の一形態である。一対のワッシャ３４１・３４２はいずれも薄い略円盤形状の部材であり、それらの中央部には円形の孔が形成される。
皿バネ３４３は本発明に係るばね座金の実施の一形態である。皿バネ３４３は薄い円盤形状の部材であり、その中央部には円形の孔が形成される。また、皿バネ３４３は側面視でその周縁部から中央部に向かって盛り上がった形状を成す。
【００８８】
制動部材３４０を構成する一対のワッシャ３４１・３４２および皿バネ３４３は、一対のワッシャ３４１・３４２により皿バネ３４３が挟まれた姿勢でシャフト３１０に嵌装され、ワッシャ３４１がワッシャ３３２に当接する。
【００８９】
レバー３５０は本発明に係る回転力付与部材の実施の一形態であり、本体１０がシャフト３１０を中心として取り付け部材２０に対して回動するための回転力を付与するものである。本実施形態のレバー３５０は細長い板状の金属板を一端において直角に屈曲することにより製造される。
図７に示す如く、レバー３５０は胴体部３５１および係合部３５２を具備する。
【００９０】
胴体部３５１は細長い板状の部材であり、その一端は反射傘１１に溶接され、ひいては本体１０に固定される。
【００９１】
係合部３５２は本発明に係る係合部の実施の一形態である。
本実施形態の係合部３５２はレバー３５０を構成する金属板の他端において胴体部３５１に対して略直角に屈曲した部分である。
【００９２】
ナット３６０は本発明に係る制動力調整部材の実施の一形態であり、制動部材３４０が発生させる制動力の大きさを調整するものである。
図７に示す如く、本実施形態のナット３６０はシャフト３１０に螺装される。ナット３６０を締め付けていくと、ナット３６０は制動部材３４０（ワッシャ３４２）に当接し、制動部材３４０をプレート３２０（反射傘１１）に向かって押しつける。
その結果、一対のワッシャ３４１・３４２により挟まれた皿バネ３４３が弾性変形し、シャフト３１０の頭部３１２とワッシャ３３１との当接部分、およびワッシャ３３１とプレート３２０との当接部分には皿バネ３４３による付勢力に応じた摩擦力が発生し、取り付け部材２０に対するプレート３２０、ひいては取り付け部材２０に対する本体１０の回動が抑制される。上記摩擦力は、本体１０と取り付け部材２０との間に実際に摩擦力が発生した場合と同様の効果を奏することとなる。
【００９３】
このように、ナット３６０の締め付け量を調整することにより、皿バネ３４３による付勢力、ひいては制動部材３４０が発生させる制動力（本体１０が取り付け部材２０に対して回動することを抑制する力）を調整することが可能である。
本実施形態では、シャフト３１０の制動力が所定の大きさ、すなわち「本体１０が自重（本体１０の重量）で取り付け部材２０に対して回動しない（回動することを規制する）」程度の大きさとなるように調整される。
【００９４】
ブッシュ３７０はシャフト３１０を取り付け部材２０に固定する部材であり、胴体部３７１および鍔部３７２を具備する。
【００９５】
胴体部３７１はブッシュ３７０の胴体を成す部材である。胴体部３７１には係合孔３７１ａが形成され、シャフト３１０の胴体部３１１が貫装される。
シャフト３１０の軸線方向（本実施形態では、左右方向）から見た胴体部３１１の断面形状と係合孔３７１ａの断面形状とは略同じである。そのため、シャフト３１０に貫装されたブッシュ３７０はシャフト３１０に対して回動不能に固定されることとなる。
胴体部３７１は取り付け部材２０の右面部２５に形成された係合孔２５ｄに貫装される。
胴体部３７１の外周部の断面形状は「対向する一対の円弧と対向する一対の直線を連結した形状（円形に一対の切り欠きを形成した形状）」であり、胴体部３７１の外周部の断面形状と係合孔２５ｄの断面形状とは略同じである。そのため、係合孔２５ｄに貫装されたブッシュ３７０は本体１０に対して回動不能に固定されることとなる。
このように、シャフト３１０はブッシュ３７０を介して取り付け部材２０に固定される。
【００９６】
鍔部３７２は胴体部３７１の一端に沿って形成され、胴体部３７１に貫装されたシャフト３１０の軸線方向に垂直な方向において胴体部３７１よりも大きい外径を有する。
【００９７】
以上の如く、ヒンジ３００は、
照明器具１の本体１０を照明器具１の取り付け部材２０に回動可能に連結するヒンジであって、
本体１０を取り付け部材２０に回動可能に支持するシャフト３１０と、
本体１０と取り付け部材２０との間に所定の大きさの制動力を発生させることにより本体１０が自重で取り付け部材２０に対して回動することを規制する制動部材３４０と、
本体１０がシャフト３１０を中心として取り付け部材２０に対して回動するための回転力を本体１０に付与するレバー３５０と、
を具備し、
シャフト３１０は（プレート３２０を介して）本体１０に回動可能に支持されるとともに取り付け部材２０に（回動不能に）固定され、
レバー３５０は本体１０に（回動不能に）固定される。
このように構成することにより、レバー３５０に作用した回転力は本体１０に付与され、本体１０はシャフト３１０を中心として取り付け部材２０に対して回動する。
従って、取り付け部材２０に対する本体１０の回動角度、ひいては本体１０による光の照射角度を調整することが可能である。
【００９８】
以下では、図８を用いて本発明に係るヒンジの第四実施形態であるヒンジ４００について説明する。
なお、以下では便宜上、ヒンジ４００が図１から図５に示す本体１０を取り付け部材２０に回動可能に連結する場合について説明する。
【００９９】
図８に示す如く、ヒンジ４００は主としてシャフト４１０、プレート４２０、ネジ４２６・４２７、ワッシャ４３１・４３２、制動部材４４０、ナット４６０およびブッシュ４７０を具備する。
【０１００】
シャフト４１０は本発明に係る軸部材の実施の一形態であり、本体１０を取り付け部材２０に回動可能に支持するものである。
シャフト４１０は主として胴体部４１１および頭部４１２を具備する。
シャフト４１０の構成は図７に示すシャフト３１０の構成と略同じであるため、説明を省略する。
【０１０１】
プレート４２０は本発明に係る回転力付与部材の実施の一形態である。
プレート４２０は細長い略長方形の板状の部材であり、その一端にはいずれも円形の孔である貫通孔４２１・４２２・４２３が形成される。
ネジ４２６・４２７はプレート４２０を反射傘１１、ひいては本体１０に固定するものである。
【０１０２】
図８に示す如く、プレート４２０の貫通孔４２２・４２３にはそれぞれネジ４２６・４２７が貫装され、ネジ４２６・４２７はそれぞれ本体１０の反射傘１１に形成されたネジ孔１１ｃ・１１ｄに螺装される。
このようにして、プレート４２０は本体１０に固定される。
なお、プレート４２０が本体１０の反射傘１１に固定された状態では、プレート４２０に形成された貫通孔４２１および本体１０の反射傘１１に形成された貫通孔１１ｂは左右方向から見て重なる。
【０１０３】
シャフト４１０は円形の貫通孔４２１および円形の貫通孔１１ｂに貫装される。
このようにして、シャフト４１０はプレート４２０に回動可能に軸支される（より厳密には、プレート４２０を介して本体１０に回動可能に軸支される）こととなる。
なお、シャフト４１０の頭部４１２の外径は貫通孔４２１の外径よりも大きいので、シャフト４１０が軸線方向のうち外向き（右方向）に移動することによりプレート４２０から脱落することはない。
【０１０４】
図８に示す如く、プレート４２０の他端は反射傘１１の下面の開口部より下方に突出し、「シャフト４１０の軸線から当該軸線に垂直な方向にオフセットした部分」となる。
【０１０５】
ワッシャ４３１・４３２は薄い略円盤形状の部材であり、その中央部には円形の孔が形成される。
ワッシャ４３１はシャフト４１０に嵌装され、シャフト４１０の頭部４１２およびプレート４２０により挟まれる位置に配置される。
ワッシャ４３２はシャフト４１０に嵌装され、プレート４２０を挟んでワッシャ４３１の反対側となる位置に配置される。
【０１０６】
制動部材４４０は本発明に係る制動部材の実施の一形態であり、本体１０と取り付け部材２０との間に所定の大きさの制動力を発生させることにより本体１０が自重で取り付け部材２０に対して回動することを規制するものである。
図８に示す如く、本実施形態の制動部材４４０は一対のワッシャ４４１・４４２および皿バネ４４３を具備する。
制動部材４４０の構成は図７に示す制動部材３４０の構成と略同じであることから、説明を省略する。
【０１０７】
ナット４６０は本発明に係る制動力調整部材の実施の一形態であり、制動部材４４０が発生させる制動力の大きさを調整するものである。
ナット４６０の構成は図７に示すナット３６０の構成と略同じであることから、説明を省略する。
【０１０８】
ブッシュ４７０はシャフト４１０を取り付け部材２０に固定する部材であり、胴体部４７１および鍔部４７２を具備する。
ブッシュ４７０の構成は図７に示すブッシュ３７０の構成と略同じであることから、説明を省略する。
【０１０９】
以上の如く、ヒンジ４００は、
照明器具１の本体１０を照明器具１の取り付け部材２０に回動可能に連結するヒンジであって、
本体１０を取り付け部材２０に回動可能に支持するシャフト４１０と、
本体１０と取り付け部材２０との間に所定の大きさの制動力を発生させることにより本体１０が自重で取り付け部材２０に対して回動することを規制する制動部材４４０と、
本体１０がシャフト４１０を中心として取り付け部材２０に対して回動するための回転力を本体１０に付与するプレート４２０と、
を具備し、
シャフト４１０は（プレート４２０を介して）本体１０に回動可能に支持されるとともに取り付け部材２０に（回動不能に）固定され、
プレート４２０は本体１０に（回動不能に）固定される。
このように構成することにより、プレート４２０に作用した回転力は本体１０に付与され、本体１０はシャフト４１０を中心として取り付け部材２０に対して回動する。
従って、取り付け部材２０に対する本体１０の回動角度、ひいては本体１０による光の照射角度を調整することが可能である。
【図面の簡単な説明】
【０１１０】
【図１】本発明に係るヒンジの第一実施形態が適用される照明器具の斜視図。
【図２】本発明に係るヒンジの第一実施形態が適用される照明器具の正面断面図。
【図３】本発明に係るヒンジの第一実施形態を示す正面断面図。
【図４】本発明に係るヒンジの第一実施形態を示す側面断面図。
【図５】本発明に係るヒンジの第一実施形態におけるレバーの別実施形態を示す図。
【図６】本発明に係るヒンジの第二実施形態を示す正面断面図。
【図７】本発明に係るヒンジの第三実施形態を示す正面断面図。
【図８】本発明に係るヒンジの第四実施形態を示す正面断面図。
【符号の説明】
【０１１１】
１        照明器具
１０      本体
２０      取り付け部材
１００    ヒンジ（第一実施形態）
１１０    シャフト（軸部材）
１４０    制動部材
１５０    レバー（回転力付与部材）
【図１】
2010019318.tif 000003
【図２】
2010019318.tif 000004
【図３】
2010019318.tif 000005
【図４】
2010019318.tif 000006
【図５】
2010019318.tif 000007
【図６】
2010019318.tif 000008
【図７】
2010019318.tif 000009
【図８】
2010019318.tif 000010